(57)【要約】【課題】容器本体の底部に埋設された温度センサからの温度情報を取手本体側に適切に導くことができ、同時に容器本体と取手本体との良好で且つ堅固な連結を達成できるようにした調理容器の提供を課題とする。【解決手段】容器本体１０と取手本体２０を有し、両者の連結手段として口金３０、連結用ネジ受け金具４０、連結用ネジを少なくとも備える調理容器であって、連結状態において、口金３０の傾斜先端面が容器本体１０の外側壁に密接し、密接した口金３０の口内に連結用ネジ受け金具４０が収容され、収容された連結用ネジ受け金具４０に対して取手本体２０側から連結用ネジが螺合され、容器本体１０の底部側壁から導出されたリード線６１がガイドパッド舌片３１によって側壁に沿って口金３０の口内へガイドされ、口金３０の口内で取手本体２０側からのリード線２５と結線されている。【選択図】      図３
2019136295.tif 000002
【特許請求の範囲】
【請求項１】
容器本体と該容器本体の外側壁に取り付けられる取手本体とを有し、容器本体の底部に埋設される温度センサからの信号をリード線を介して容器本体から取手本体側に送り、温度表示を行うようにした調理容器であって、
前記容器本体と取手本体とを連結するための手段として、口金、連結用ネジ受け金具、及び連結用ネジとを少なくとも備え、
前記口金は、前記取手本体の先端部に対して外嵌合する短環形状に構成すると共に、その先端側には前記容器本体から導出されるリード線を容器本体の側壁に沿ってガイドするガイドパット舌片を垂下させて備え、且つ前記ガイドパッド舌片を含む口金の先端面を前記容器本体に密接する傾斜先端面として構成し、
前記連結用ネジ受け金具は、前記容器本体の外側壁に立設固定される脚部と、前記取手本体側からの連結用ネジと螺合されるネジ受け部とを備え、
連結状態において、前記口金の傾斜先端面が容器本体の外側壁に密接し、該密接した口金の口内に前記連結用ネジ受け金具が収容され、この収容された連結用ネジ受け金具に対して取手本体側からの連結用ネジが螺合され、且つ容器本体の底部側壁から導出されたリード線がガイドパッド舌片によって側壁に沿って口金の口内へガイドされ、口金の口内で取手本体側からのリード線と結線された構成となっていることを特徴とする調理容器。
【請求項２】
取手本体には、連結用ネジを前記取手本体側から差し入れて取手本体の先端から前方に突出させることができるネジ挿通孔を設けた連結用ネジ取付部を備えると共に、容器本体側からのリード線に対して、取手本体の内部に設けられる制御部からのリード線を取手本体の先端から前方に導出させて配線するようにした配線手段を備え、
連結用ネジ受け金具には、前記連結用ネジに螺合される雌ネジ孔を設けたネジ受け部を、一対の脚部の天板として備え、
口金のガイドパッド舌片には、容器本体の底部側壁から導出されたリード線を受け入れて保護しながら側壁に沿って上方に導くガイド溝を備えたことを特徴とする請求項１に記載の調理容器。
【請求項３】
連結用ネジ受け金具は、その一対の脚部がネジ固定されることで容器本体の外側壁に立設され、その立設状態において、連結用ネジ受け金具の雌ネジ孔の位置が、温度センサからのリード線の導出口の真上の位置となると共に取手本体の連結用ネジ取付部のネジ挿通孔と同芯位置となる構成としたことを特徴とする請求項２に記載の調理容器。
【請求項４】
容器本体は取手本体が片持ちで連結されたフライパンとし、取手本体には、温度センサからの信号が制御部で変換されてなる温度数値を表示する温度表示部と、前記制御部や前記温度表示部に電力を供するための電池収納部を備えていることを特徴とする請求項１〜３の何れかに記載の調理容器。
【発明の詳細な説明】
【技術分野】
【０００１】
本発明は、調理容器に関し、より詳しくは、温度を検出して表示するようにした調理容器に関する。
【背景技術】
【０００２】
容器の温度を検出して表示するようにした調理容器が状来より提供されている。
このような温度検出とその温度表示を行う調理容器においては、温度検出のためのセンサを容器本体のどの位置に設置するかは、温度を検出する上で重要なことである。例えば容器本体の外表面にセンサを設置するもの、容器本体の内表面にセンサを設置するもの、容器本体の肉厚内にセンサを埋めた状態に設置するもの等に分類することができる。
そして容器本体の肉厚内にセンサを設置するものにおいては、容器本体の底壁の肉厚内に挿入して埋め込んだ状態に設置するようにしたものがある。
【先行技術文献】
【特許文献】
【０００３】
【特許文献１】特開２００８−１０００８１号公報
【特許文献２】国際公開第ＷＯ２００６／１３５６５７号
【特許文献３】特開２０１６−８７４５１号公報
【発明の概要】
【発明が解決しようとする課題】
【０００４】
上記特許文献１は、本願発明者が先に出願して開示した無線周波数識別で制御される加熱可能物体に関する発明である。鍋本体（２０、１２０、２２０）の底壁に穴（１２２、２２７）を設けて温度センサ（７０）を埋め込み、導線（６２、７２）を鍋本体（２０、１２０、２２０）の下側部から引き出して、ブラケット（３０、１３０、２３０）の通路（３８、１３８、２３８）で鍋本体の側壁をガイドするようにして、取っ手（４０、１４０）内のＲＦＩＤタグ（６０）に接続する構成が開示されている。
しかしながら特許文献１の技術では、鍋本体から導出される温度センサ（７０）の導線（６２、７２）を適切にガイドするためのブラケット（３０、１３０、２３０）を、如何に鍋本体に取り付けるかにおいて問題があった。即ち、従来の取り付け構造においては、ブラケットに位置決め用の凹所（３３）とロウ接用の複数のこぶ（３５、１３５、２３５）とを設け、また鍋本体にも位置決めのための部分を設けて、ブラケットと鍋本体とを相互に位置決めし、且つロウ接する必要があった。よってグラケットと鍋本体とにおける取り付け構造が複雑となる上に高温作業も必要となる等、難構造、難作用という問題があった。また加熱を繰り返す鍋においては、前記ロウ接部の寿命に課題があった。
上記特許文献２は、これも本願発明者が先に出願して開示したタグアセンブリに関する。このアセンブリでも同様に、鍋本体（１２０）の底に温度センサ（アセンブリ７０）が埋設され、導出されたケーブル（６２）を受け手（１３０）でガイドするようにした構成が開示されている。この特許文献２では、受け手（１３０）と鍋本体（１２０）との取り付け構造が明確には開示されてはいないが、やはり上記特許文献１の技術と同様な問題があると思われる。
上記特許文献３には、ボウル（２）の底部（３）のトンネル（１１）にセンサ（２０）が埋め込まれる構成の調理用容器（１）が開示されている。そして底部（３）から引き出される管状シース（２３）が、ボウル（２）の下側部に形成された溝（６）に沿って配置され、保護カバー（７）で保護される構成が開示されている。
しかしながら、この特許文献３には、センサ（２０）や環状シース（２３）を配設する調理用容器（１）のボウル（２）を、どのように取っ手に適切に連結するのかという課題に対する構造上の開示が何らなされていない。
【０００５】
そこで本発明は上記従来における問題点を解決し、容器本体の底部に埋設された温度センサからの温度情報を取手本体側に適切に導くことができ、同時に容器本体と取手本体との良好で且つ堅固な連結を達成できるようにした調理容器の提供を課題とする。
【課題を解決するための手段】
【０００６】
上記課題を達成するため、本発明の調理容器は、容器本体と該容器本体の外側壁に取り付けられる取手本体とを有し、容器本体の底部に埋設される温度センサからの信号をリード線を介して容器本体から取手本体側に送り、温度表示を行うようにした調理容器であって、
前記容器本体と取手本体とを連結するための手段として、口金、連結用ネジ受け金具、及び連結用ネジとを少なくとも備え、
前記口金は、前記取手本体の先端部に対して外嵌合する短環形状に構成すると共に、その先端側には前記容器本体から導出されるリード線を容器本体の側壁に沿ってガイドするガイドパット舌片を垂下させて備え、且つ前記ガイドパッド舌片を含む口金の先端面を前記容器本体に密接する傾斜先端面として構成し、
前記連結用ネジ受け金具は、前記容器本体の外側壁に立設固定される脚部と、前記取手本体側からの連結用ネジと螺合されるネジ受け部とを備え、
連結状態において、前記口金の傾斜先端面が容器本体の外側壁に密接し、該密接した口金の口内に前記連結用ネジ受け金具が収容され、この収容された連結用ネジ受け金具に対して取手本体側からの連結用ネジが螺合され、且つ容器本体の底部側壁から導出されたリード線がガイドパッド舌片によって側壁に沿って口金の口内へガイドされ、口金の口内で取手本体側からのリード線と結線された構成となっていることを第１の特徴としている。
また本発明の調理容器は、上記第１の特徴に加えて、取手本体には、連結用ネジを前記取手本体側から差し入れて取手本体の先端から前方に突出させることができるネジ挿通孔を設けた連結用ネジ取付部を備えると共に、容器本体側からのリード線に対して、取手本体の内部に設けられる制御部からのリード線を取手本体の先端から前方に導出させて配線するようにした配線手段を備え、
連結用ネジ受け金具には、前記連結用ネジに螺合される雌ネジ孔を設けたネジ受け部を、一対の脚部の天板として備え、
口金のガイドパッド舌片には、容器本体の底部側壁から導出されたリード線を受け入れて保護しながら側壁に沿って上方に導くガイド溝を備えたことを第２の特徴としている。
また本発明の調理容器は、上記第２の特徴に加えて、連結用ネジ受け金具は、その一対の脚部がネジ固定されることで容器本体の外側壁に立設され、その立設状態において、連結用ネジ受け金具の雌ネジ孔の位置が、温度センサからのリード線の導出口の真上の位置となると共に取手本体の連結用ネジ取付部のネジ挿通孔と同芯位置となる構成としたことを第３の特徴としている。
また本発明の調理容器は、上記第１〜第３の何れかの特徴に加えて、容器本体は取手本体が片持ちで連結されたフライパンとし、取手本体には、温度センサからの信号が制御部で変換されてなる温度数値を表示する温度表示部と、前記制御部や前記温度表示部に電力を供するための電池収納部を備えていることを第４の特徴としている。
【発明の効果】
【０００７】
請求項１に記載の調理容器によれば、本体容器の底部に埋設された温度センサからの信号が取手本体に送られ、取手本体に温度が表示される。
取手本体は本体容器に直接的に連結固定されるのではなく、連結するための手段として、口金、連結用ネジ受け金具、連結用ネジを介して連結固定される。
連結用ネジ受け金具が容器本体の外側壁に立設固定され、この連結用ネジ受け金具に対して取手本体側から連結用ネジを螺合することで、取手本体が容器本体に連結固定される。そして容器本体から取手本体を取り外す必要が生じた場合でも、連結用ネジを螺脱するだけで、容器本体並びに取手本体には何ら傷を付けることなく、ごく簡単、容易に両者を分離することができる。よって温度センサ等やそのリード線等が破損した場合にも、容易に補修することができる。
また請求項１に記載の調理容器によれば、口金を取手本体の先端部に外嵌合させることで、該外嵌合された口金の傾斜先端面が容器本体の外側壁に密着される。これにより取手本体を、口金を介して容器本体に確実に密着固定させることが可能となり、ガタツキの無い、堅固で安定した取手を提供することができる。そして短環形状の口金の口内に、容器本体から突出する連結用ネジ受け金具を収容することができる。よって口金の口内において、連結用ネジによる連結用ネジ受け金具との連結構造を収容することができ、更に容器本体側からのリード線と取手本体側からのリード線との結線構造を収容することができる。
また請求項１に記載の調理容器によれば、前記口金が容器本体の側壁に密着する際に、口金の先端側に垂下されて備えられたガイドパッド舌片が容器本体の側壁に密着し、容器本体の底部側壁から導出されたリード線を容器本体の側壁に沿ってガイドし、口金の口内まで導くことができる。よって底部側壁から導出されたリード線を、口金の口内まで安定してガタツクことなく、保護して導くことができる。
【０００８】
請求項２に記載の調理容器によれば、上記請求項１に記載の構成による作用効果に加えて、取手本体に連結用ネジ取付部を備えることで、その連結用ネジ取付部のネジ挿通孔を用いて、連結用ネジを差し込んで取手本体の先端から突出させ、この連結用ネジを容器本体の外側壁に立設された連結用ネジ受け金具のネジ受部に螺合させることで、両者の連結固定を容易に行うことができる。
そして前記連結用ネジ受け金具のネジ受部は、容器本体に立設される一対の脚部の天板として備えられ、その天板に雌ネジ孔が備えられるので、取手本体側から突出してくる連結用ネジに対して、雌ネジ孔のある天板を容易に直角方向に配置することができ、両者の螺合を、ガタツキなく、より安定して確実に行うことができる。
また請求項２に記載の調理容器によれば、取手本体に配線手段を備えて、取手本体の内部の制御部からのリード線を取手本体の先端から前方に導出させるよう配線したので、該取手本体側からのリード線と容器本体側からのリード線とを、連結作業時に取手本体と容器本体との間で結線することができ、連結がなされた両者間に位置する口金の口内に収容し、外部に出ないようにすることができる。
また請求項２に記載の調理容器によれば、ガイドパッド舌片にガイド溝を備えることで、容器本体から導出されたリード線を、容器本体の側壁と該容器本体の側壁に密着するガイドパット舌片のガイド溝との間に保護しながら、上方に導くことができる。よって容器本体から導出されたリード線を十分安全に保護しながら取手本体側へ案内することができる。
【０００９】
請求項３に記載の調理容器によれば、上記請求項２に記載の構成による作用効果に加えて、連結用ネジ受け金具は、その一対の脚部がネジ固定されることで容器本体の外側壁に立設され、その立設状態において、連結用ネジ受け金具の雌ネジ孔の位置が、温度センサからのリード線の導出口の真上の位置となると共に取手本体の連結用ネジ取付部のネジ挿通孔と同芯位置となる構成としたので、
前記取手本体側と容器本体側とを、取手本体側からの連結用ネジと容器本体（連結用ネジ受け金具）側の雌ネジ孔とで同芯に、確実、強固に連結することが可能となる。そして容器本体の導出口から導出されるリード線は、導出口から外側壁に沿って、前記同芯を通る垂直平面を上方に導びかれて、最短距離で取手本体側からのリード線と結線することが可能となる。
【００１０】
請求項４に記載の調理容器によれば、上記請求項１〜３の何れかに記載の構成による作用効果に加えて、容器本体は取手本体が片持ちで連結されたフライパンとし、取手本体には、温度センサからの信号が制御部で変換されてなる温度数値を表示する温度表示部と、前記制御部や前記温度表示部に電力を供するための電池収納部を備えていることにより、
調理容器として片持ちのフライパンとして、そのフライパンの底に温度センサが埋設され、また取手本体に検出温度信号を温度数値に変換する制御部と、変換された温度数値を表示をする表示部と、それら制御部と表示部に電力を供給するための電池収納部を備えた調理容器を現に提供することができる。
【図面の簡単な説明】
【００１１】
【図１】本発明の実施形態に係る調理容器の正面図である。
【図２】本発明の実施形態に係る調理容器の平面図である。
【図３】本発明の実施形態に係る調理容器の右側面図である。
【図４】本発明の実施形態に係る調理容器の分解斜視図である。
【図５】本発明の実施形態に係る調理容器の取手本体と口金と連結用ネジ受け金具とリード線の配置関係を説明する図である。
【発明を実施するための形態】
【００１２】
以下、各図面を参照して、本発明の実施形態に係る調理容器を説明し、本発明の理解に供する。しかし、以下の説明は特許請求の範囲に記載の本発明を限定するものではない。
【００１３】
図１〜図３を参照して、本発明の実施形態に係る調理容器は、容器本体１０と、取手本体２０とを有する。そして容器本体１０と取手本体２０とを連結するための手段として、口金３０と、連結用ネジ受け金具４０と、連結用ネジ５０とを少なくとも備えている。
前記容器本体１０は、本実施形態ではフライパンとして構成されている。しかし、これに限定されるものではなく、加熱調理用の種々の容器を容器本体として採用することができる。
前記取手本体２０はフライパン用の片持ち取手用に構成されている。
【００１４】
前記容器本体１０の底部に温度センサ６０が埋設されている。該温度センサ６０からのリード線６１は、容器本体１０の底部側壁に設けられる導出口１１から導出される構造になされている。温度センサ６０は、埋設された容器本体の底部の温度を検出するセンサで、公知のセンサを用いることができる。リード線６１は保護管６１ａで被覆したものを用いることができる。リード線６１の保護管６１ａは、曲げ可能な金属製の保護管６１ａとし、容器本体１０の底部側壁から導出されたリード線６１が外側壁に沿ってガイドされるようにしている。
【００１５】
図４を参照して、前記取手本体２０は、例えば上半部２０ａと下半部２０ｂとに分離可能に構成することができる。前記下半部２０ｂ側には制御部２１、温度表示部２２が備えられる。温度センサ６０で検出された温度情報（信号）が制御部２１で温度値に変換され、温度表示部２２に表示される。また隔壁２３を介して電池収納部２４が備えられている。この電池収納部２４には取手本体２０の裏側から開けることができ、電源となる電池を着脱自在にセットすることができるようになっている。前記上半部２０ａ側には表示窓２７が設けられている。
取手本体２０には、前記制御部２１からのリード線２５を取手本体２０の先端から前方に導出させるように配線してなる配線手段を設けている。このリード線２５の取手本体２０からの導出位置は、後述する連結用ネジ５０のネジ挿通孔２６ｂの位置よりも高い位置にしている。
制御部２１からのリード線２５は既述した温度センサ６０のリード線６１と、組立時に結線される。
図３を参照して、取手本体２０には連結用ネジ取付部２６が備えられる。この連結用ネジ取付部２６は、取手本体２０の裏側の前部に、連結用ネジ５０の差入れ用の窪み２６ａを設け、該窪み２６ａに取手本体２０の中央部を真っ直ぐ貫通して先端面に開口するネジ挿通孔２６ｂを設けることで構成されている。
【００１６】
図４、図５も参照して、前記口金３０は、短環形状をしており、その後端側で前記取手本体２０の先端部に着脱自在に外嵌合される。
また口金３０にはガイドパッド舌片３１が備えられている。このガイドパッド舌片３１は短帯状を呈し、口金３０の先端側の下部中央付近から垂下した状態に設けられる。ガイドパッド舌片３１は、前記容器本体１０の下側壁の曲がり具合に合わせて曲げられて構成されている。
そして前記ガイドパッド舌片３１を含む口金３０の先端面は、前記容器本体１０の対応する外側壁の壁面に密接する傾斜先端面３０ａとして構成されている。
また前記ガイドパッド舌片３１にはガイド溝３１ａが備えられる。ガイド溝３１ａはガイドパッド舌片３１の中央部に縦方向に設けられている。
ガイド溝３１ａは、容器本体１０の底部側壁から導出された前記リード線６１を側壁に沿って上方へガイドする役割をなす。
【００１７】
前記連結用ネジ受け金具４０は、一対の脚部４１、４１と、該一対の脚部４１、４１をつなぐ天板４２とを備えている。そして前記各脚部４１、４１には、それぞれ結合用孔４１ａ、４１ａを備えている。また前記天板４２には、その中央に雌ネジ孔４２ａを備えている。更に前記一対の脚部４１、４１を容器本体１０に固定するためのボルト４３とナット４４を備えている。
前記連結用ネジ受け金具４０の天板４２と雌ネジ孔４２ａとで、前記取手本体２０側からの連結用ネジ５０の螺合を受け入れる、ネジ受け部を構成している。
【００１８】
調理容器の組み立ては、例えば以下のようにして行う。
容器本体１０の底部側壁から底部肉厚内の中心方向に向けて埋設用の孔を穿設し、その埋設用の孔に温度センサ６０を挿入し、隙間ができないように埋設する。そして保護管６１ａで被覆されたリード線６１を底部側壁の導出口１１から導出した状態とする。
一方、容器本体１０の前記導出口１１の真上の位置に、水平方向に分離して一対のボルト挿通孔を穿設しておき、容器本体１０の外側から連結用ネジ受け金具４０をあてがって、その一対の脚部４１、４１の結合用孔４１ａ、４１ａを前記ボルト挿通孔に合せた状態として、ボルト４３、４３を容器本体１０の内側から外側へ貫通させ、ナット４４、４４を螺合させて締付け固定する。これによって容器本体１０の外側壁に連結用ネジ受け金具４０を立設固定した状態とする。
そして取手本体２０に対しては、その先端部に口金３０を着脱自在に嵌合し、取手本体２０の先端から前方に導出された上記制御部２１からのリード線２５が口金３０の口内を貫通する状態にする。そしてこの状態で、更に取手本体２０を容器本体１０に近づけ、取手本体２０側の前記リード線２５と容器本体１０側の前記リード線６１とを結線しておく。
前記リード線６１と前記リード線２５との結線は、容器本体１０から導出された下からのリード線６１と、取手本体２０側から導出された上からのリード線２５とが、前記立設固定された連結用ネジ受け金具４０の一対の脚部４１、４１の間を上下方向に貫通するようにして結線する。勿論、取手本体２０の先端から導出するリード線２５の導出口の位置が連結用ネジ５０を挿通させる連結用ネジ取付部２６のネジ挿通孔２６ｂの位置よりも下にある場合は、立設固定された連結用ネジ受け金具４０の脚部４１、４１間を通ることなく、その下で両リード線２５、６１が結線される。
前記リード線２５、６１が結線されたところで、取手本体２０に嵌合された口金３０の口内に前記立設された連結用ネジ受け金具４０を受け入れるようにして、容器本体１０の外側壁に押し当て、連結用ネジ５０を連結用ネジ取付部２６のネジ挿通孔２６ａから差し入れて、前記容器本体１０の外側壁に立設された連結用ネジ受け金具４０の天板４２に設けられた雌ネジ孔４２ａに螺合して堅固に固定する。その際、容器本体１０から導出されたリード線６１は、それを被覆する保護管６１ａと共に前記口金３０のガイドパッド舌片３１のガイド溝３１ａに嵌り込むようにして、ガイド溝３１ａにより容器本体１０の側壁を上方にガイドされるようにする。
前記連結用ネジ５０を螺合することで、取手本体２０が口金３０と共に容器本体１０に連結される。
【００１９】
前記容器本体１０と取手本体２０とが連結された状態において、連結用ネジ５０は取手本体２０の先端面中央部を貫通して、口金３０の口内に収容状態の連結用ネジ受け金具４０の雌ネジ孔４２ａと螺合状態となる。また取手本体２０に嵌合された口金３０の先端傾斜面３０ａが容器本体１０の外側面に対してピッタリと密接した状態となる。そして口金３０のガイドパッド舌片３１も、その容器本体１０に対向する面が傾斜先端面３０ａとなって、容器本体１０の外側面に密接状態となる。このときガイドパッド舌片３１のガイド溝３１ａは、容器本体１０の導出口１１から導出されたリード線６１をその保護管６１ともども受け入れて保護しながら、容器本体１０の外壁面に沿って真上の方向にガイドする。そしてガイドパッド舌片３１によって上方に導かれたリード線６１と取手本体２０の先端から導出されたリード線２５とは、容器本体１０に立設固定された連結用ネジ受け金具４０の一対の脚部４１、４１の間を通って相互に結線状態となる。
容器本体１０と取手本体２０とが連結された状態では、水平に置かれた容器本体１０に対して、前記容器本体１０の導出口１１と、ガイドパッド舌片３１のガイド溝３１ａとが同じ垂直平面に属する。また容器本体１０に立設固定された連結用ネジ受け金具４０の雌ネジ孔４２ａと、取手本体２０の連結用ネジ取付部２６のネジ挿通孔２６ｂとが同芯となる。また取手本体２０から導出されるリード線２５の導出位置も、前記導出口１１と同じ垂直平面に属する。また前記容器本体１０に立設された連結用ネジ受け金具４０の一対の脚部４１、４１は前記垂直平面を中心にスプリット配置されている。
【００２０】
以上のように構成することで、本体容器１０の底部に埋設された温度センサ６０からの信号を取手本体２０に送り、温度表示することができる。
容器本体１０と取手本体２０との連結は、口金３０、連結用ネジ受け金具４０を介して取手本体２０側から連結用ネジ５０を螺合することで、また容器本体１０から取手本体２０を取り外す必要が生じた場合には、連結用ネジ５０を螺脱するだけで、容器本体１０や取手本体２０には何ら傷を付けることなく、容易に両者を分離することができる。
また口金３０を取手本体２０の先端部に外嵌合させることで、該口金３０の傾斜先端面３０ａで容器本体１０に確実に密着固定させることが可能となり、ガタツキの無い堅固で安定した取手を提供することができる。
容器本体１０から突出して立設固定される連結用ネジ受け金具４０や、リード線２５、６１は、全て口金３０の口内に収容し、且つ連結用ネジ５０による連結構造、リード線２５、６１の結線構造も口金３０の口内で完結させることができる。
そして口金３０にガイドパッド舌片３１を設けることで、容器本体１０の底部側壁から導出されたリード線６１を保護しながら、容器本体１０の側壁に沿って、安定してガタツクことなく、最短距離で確実に口金３０の口内までガイドすることができる。
容器本体１０の外側壁に立設固定された連結用ネジ受け金具４０の雌ネジ孔４２ａの位置が、取手本体２０の連結用ネジ用取付部２６のネジ挿通孔２６ａと同芯位置となるので、同芯上を差し込まれた連結用ネジ５０による螺合、固定が確実で、強固となる。
【産業上の利用可能性】
【００２１】
本発明は加熱温度が表示できる調理容器として、産業上利用することができる。
【符号の説明】
【００２２】
１０          容器本体
１１          導出口
２０          取手本体
２０ａ        上半部
２０ｂ        下半部
２１          制御部
２２          温度表示部
２３          隔壁
２４          電池収容部
２５          リード線
２６          連結用ネジ取付部
２６ａ        窪み
２６ｂ        ネジ挿通孔
２７          表示窓
３０          口金
３０ａ        傾斜先端面
３１          ガイドパッド舌片
３１ａ        ガイド溝
４０          連結用ネジ受け金具
４１          脚部
４１ａ        結合用孔
４２          天板
４２ａ        雌ネジ孔
４３          ボルト
４４          ナット
５０          連結用ネジ
６０          温度センサ
６１          リード線
６１ａ        保護管
【図１】
2019136295.tif 000003
【図２】
2019136295.tif 000004
【図３】
2019136295.tif 000005
【図４】
2019136295.tif 000006
【図５】
2019136295.tif 000007